(57)【要約】【課題】非常停止用押ボタンスイッチを覆う誤操作防止カバーの操作を確実・容易にする。【解決手段】非常停止用押ボタンスイッチ１を取り付ける盤パネルに固定するベース５と、このベース５に開閉可能にヒンジ支持させたカバー６とを設けるとともに、このカバー６にクッション用ばね１０を介して押板１１を取り付け、かつフック１５ａを有するロックレバー１５を回動可能に支持させる一方、ベース５にフック１５ａに対応させて突片５ａを形成し、カバー６を閉じると押板１１が操作部２を押動し、非常停止用押ボタンスイッチ１を操作するとともに、ロックレバー１５のフック１５ａがベース５の突片５ａに係合し、カバー６を閉じた状態に自動ロックするようにする。【選択図】  図１
2009187837.tif 000002
【特許請求の範囲】
【請求項１】
非常停止用押ボタンスイッチを取り付ける盤パネルに固定するベースと、このベースに開閉可能にヒンジ支持させ、閉じた状態で前記非常停止用押ボタンスイッチの操作部を覆うカバーとを設け、このカバーにクッション用ばねを介して押板を取り付け、かつフックを有するロックレバーを回動可能に支持させる一方、前記ベースに前記フックに対応させて突片を形成し、前記カバーを閉じると前記押板が前記操作部を押動し、前記非常停止用押ボタンスイッチを操作するとともに、前記ロックレバーのフックが前記ベースの突片に係合し、前記カバーを閉じた状態に自動ロックするようにしたことを特徴とする非常停止用押ボタンスイッチの誤操作防止カバー。
【請求項２】
前記カバーが閉じた状態で互いに重なる施錠穴を前記カバー及びロックレバーにそれぞれ設け、この施錠穴に錠前を通して前記カバーを閉じた状態に施錠するようにしたことを特徴とする請求項１記載の非常停止用押ボタンスイッチの誤操作防止カバー。
【請求項３】
前記押板及びクッション用ばねを押動アタッチメントとして一体化し、この押動アタッチメントを前記カバーに交換可能に装着したことを特徴とする請求項１記載の非常停止用押ボタンスイッチの誤操作防止カバー。
【発明の詳細な説明】
【技術分野】
【０００１】
この発明は、非常時に負荷を停止させる非常停止用押ボタンスイッチに関し、特にその誤操作を防止するための保護カバーに関する。
【背景技術】
【０００２】
非常停止用押ボタンスイッチ（以下、単に「押ボタンスイッチ」という。）は、緊急時や機械の保守点検時などに操作部を押動操作して負荷回路を強制開路し、かつ開路状態に自己保持する機能を有するものであるが、負荷の停止状態で誤ってリセットされると人命に関わる事故が発生する恐れがありきわめて危険である。そのため、非常停止操作後に操作部を覆い、誤操作を防止する保護カバー（誤操作防止カバー）が設けられることが多い。このような誤操作防止カバーについては、例えば特許文献１に記載されている。
【特許文献１】特開平５−２０９５１号公報
【発明の開示】
【発明が解決しようとする課題】
【０００３】
ところで、従来の上記誤操作防止カバーには、押ボタンスイッチを操作しなくても閉じられるものと、操作した後でなければ閉じられないものとがある。その場合、押ボタンスイッチを操作しなくても閉じられるものは、機械の保守点検時などに押ボタンスイッチの操作を忘れたまま誤操作防止カバーを閉じてしまう危険がある。
【０００４】
一方、押ボタンスイッチを操作しなければ誤操作防止カバーを閉じられないものは、押ボタンスイッチの操作忘れの危険はないが、従来は押ボタンスイッチと誤操作防止カバーとの間に動作上の関連性がないため、誤操作防止カバーを閉じようとして押ボタンスイッチが操作されていないことに気付き、誤操作防止カバーを開いて押ボタンスイッチを改めて操作してから、誤操作防止カバーを閉じるというような二重の手間が生じていた。
【０００５】
また、従来の誤操作防止カバーは、閉じた状態に保持するために止めねじを締めたり、掛け金を掛けたりするなどの動作が必要で面倒であった。更に、押ボタンスイッチを操作しなければ誤操作防止カバーを閉じられないものは、押ボタンスイッチの種類により寸法関係が変わると、誤操作防止カバーもそれに応じたものを使用する必要があり、部品の種類が増えて管理が煩雑であった。
【０００６】
この発明の課題は上記諸問題に対処し、確実かつ簡易に非常停止用押ボタンスイッチを覆うことのできる誤操作防止カバーを提供することにある。
【課題を解決するための手段】
【０００７】
上記課題を解決するために、この発明は、非常停止用押ボタンスイッチを取り付ける盤パネルに固定するベースと、このベースに開閉可能にヒンジ支持させ、閉じた状態で前記非常停止用押ボタンスイッチの操作部を覆うカバーとを設け、このカバーにクッション用ばねを介して押板を取り付け、かつフックを有するロックレバーを回動可能に支持させる一方、前記ベースに前記フックに対応させて突片を形成し、前記カバーを閉じると前記押板が前記操作部を押動し、前記非常停止用押ボタンスイッチを操作するとともに、前記ロックレバーのフックが前記ベースの突片に係合し、前記カバーを閉じた状態に自動ロックするようにするものである（請求項１）。
【０００８】
請求項１の発明によれば、押ボタンスイッチの操作を忘れていても、誤操作防止カバーを閉じると操作部がカバーの押板で押動されて押ボタンスイッチが操作されるため、押ボタンスイッチを操作しないで誤操作防止カバーを閉じてしまう危険がない。また、誤操作防止カバーは、カバー閉じればロックレバーがベース側の突片に係合して自動ロックされるため、カバーを改めてロックする手間が不要である。
【０００９】
請求項１の発明において、前記カバーが閉じた状態で互いに重なる施錠穴を前記カバー及びロックレバーにそれぞれ設け、この施錠穴に錠前を通して前記カバーを閉じた状態に施錠するようにするとよい（請求項２）。これにより、カバーを閉じた状態に施錠し、安全に保守点検等の作業を行うことができる。
【００１０】
また、請求項１の発明において、前記押板及びクッション用ばねを押動アタッチメントとして一体化し、この押動アタッチメントを前記カバーに交換可能に装着するようにするとよい（請求項３）。
これにより、押動アタッチメントを交換するだけで、同一の誤操作防止カバーを用いて各種の押ボタンスイッチに対応することができるようになる。
【発明の効果】
【００１１】
この発明の誤操作防止カバーは、押ボタンスイッチが操作されていなくてもカバーを閉じれば押ボタンスイッチが必ず操作されるので、押ボタンスイッチの操作を忘れたままでカバーを掛ける危険がない上、カバーは閉じれば自動的にロックされるのでねじ締め等の手間がかからずロック忘れもない。また、カバーを閉じた状態で施錠できるので、第三者により押ボタンスイッチがリセットされる心配がない。更に、押動アタッチメントの交換で各種の高さの押ボタンスイッチに対応できるので、誤操作防止のための費用負担が低下するとともに部品管理も容易になる。
【発明を実施するための最良の形態】
【００１２】
以下、図１〜図５に基づいて、この発明の実施の形態を説明する。ここで、図１は押ボタンスイッチと開いた状態の誤操作防止カバーとを示す斜視図、図２は図１の誤操作防止カバーが閉じた状態の側面図、図３は図１の誤操作防止カバーを閉じ、施錠した状態の斜視図、図４は図１におけるロックレバーの拡大側面図、図５は図１における押動アタッチメントの斜視図である。
【００１３】
まず、図１において、１は押ボタンスイッチで操作部２とスイッチ部３とからなり、図示しない制御盤のパネルに操作部２を突出させて取り付けられている。押ボタンスイッチ１は、いわゆるプッシュロック・ターンリセット方式に構成され、操作時に操作部２を押動するとスイッチ部３の図示しない常閉接点（ｂ接点）が強制開離され負荷の停止が行われるとともに、操作部２は押し込み位置にロックされる。操作部２を捻回させるとロックが外れ、押ボタンスイッチ１の復帰（リセット）が行われる。
【００１４】
４は誤操作防止カバーである。誤操作防止カバー４は、平板なベース５と舟形のカバー６とを備え、カバー６はベース５の下端部にヒンジ７により上下に開閉可能に支持されている。ベース５の上部には丸穴８があけられている。べーす５は、この丸穴８に押ボタンスイッチ１を貫通させて３本のねじ９により押ボタンスイッチ１と共通の盤パネルに固定される。カバー６はヒンジ７を支点に持ち上げられることにより閉じられ、図２に示すようにベース５に重なって操作部２を覆う。
【００１５】
カバー６には、クッション用ばね１０を介して押板１１が取り付けられている。図５は、クッション用ばね１０及び押板１１を図１の裏側から示したものである。図１及び図５において、押板１１は丸みのある菱形で、先端がＬ曲げされたばね受け脚１１ａが両端に折り曲げ形成され、中心に操作部２の中心部を逃げる丸穴１１ｂが打ち抜かれている。クッション用ばね１０は圧縮コイルばねからなり、一端がばね受け脚１１ａの先端Ｌ曲げ部に突き当てられ、このＬ曲げ部及びクッション用ばね１０を緩く貫通する頭付ピン１２により保持されている。
【００１６】
クッション用ばね１０の他端には、図５に示す凸形状の取付板１３があてがわれ、取付板１３を貫通する頭付ピン１２の先端のカシメ加工により、押板１１及びクッション用ばね１０と一体的に結合されている。取付板１３にも、中心部に押板１１の丸穴１１ｂと同心の丸穴１３ａがあけられている。頭付ピン１２を介して一体化されたクッション用ばね１０、押板１１及び取付板１３は押動アタッチメント１４としてユニット化され、カバー６に一体的に着脱される。
【００１７】
ここで、取付板１３には、左右一対の取付脚１３ｂが折り曲げ形成されるとともに、取付片１３ｃが舌状に突出形成されている。取付脚１３ｂはスリットの切込みにより中心部に舌片が切り起こされ、この舌片は外側にわずかに押し出されている。一方、図１において、カバー６の側壁には、取付脚１３ｂの舌片に対応して方形の係合穴６ａが設けられ、またカバー６の正面壁（図２の右側の壁）の上部には、取付片１３ｃに対応して、方形の穴があけられるとともに、その上縁が内側にわずかに押し出されて係合段部６ｂが形成されている。
【００１８】
そこで、押動アタッチメント１４は取付板１３を内側にしてカバー６に挿入され、取付脚１３ｂの舌片が係合穴６ａの縁部に係合されるとともに、取付片１３ｃが係合段部６ｂに押圧される。これにより、押動アタッチメント１４は、図１に示すようにカバー６に装着される。この押動アタッチメント１４は、カバー６の穴６ａからドライバーの先端などで取付脚１３ｂの舌片を押してその係合を外せば、カバー６から容易に取り外せる。
【００１９】
図１及び図４において、カバー６の左右側壁の内側には、左右一対のロックレバー１５が軸１６によりそれぞれ回動可能に支持されている。ロックレバー１５は、軸１６を支点に図４の左端側よりも右端側が重く構成されている。このロックレバー１５の左端側にはフック１５ａが形成され、右端側には長円形の施錠穴１５ｂ及び把手１５ｃが設けられている。図１のカバー開放状態において、ロックレバー１５は自重の不釣合いから、重い側の把手１５ｃがカバー６の底に当り停止している。一方、ベース５の上部両側には、ロックレバー１５のフック１５ａに対応して、Ｌ字状に左右に突出する突片５ａが一体に折り曲げ形成されている。なお、上記したベース５、カバー６、押板１１、取付板１３、ロックレバー１５等はすべて鋼板からプレス加工により製作されている。
【００２０】
図１において、非常時に押ボタンスイッチ１の操作部２を押すと、負荷が停止するとともに操作部２が押し込まれた状態にロックされる。そこで、誤操作防止カバー４のカバー６をヒンジ７を支点に持ち上げて反転させ、図２に示すようにベース５に被せる。このカバー６の反転動作の間、把手側が重いロックレバー１５は把手１５ｃがカバー６の底に接し続けるが、カバー４が反転直立する手前でフック１５ａの前面が突片５ａの前面に接触する。
【００２１】
このカバー６を更にベースに向かって押すと、ロックレバー１５は突片５ａに押され、その表面を滑りながら把手側が持ち上がるように回転する。やがて、フック１５ａは図４に２点鎖線で示すように、突片５ａを乗り越えてその下側に進出し、次いで把手側の自重でロックレバー１５が逆方向（図４の時計方向）に回転すると、図４に実線で示すように突片５ａの下縁に係合する。これにより、カバー４は図２に示すように、閉じた状態でロックされる。
【００２２】
ここで、カバー６を閉じる場合、押ボタンスイッチ１が押圧操作されていないと、カバー６を閉じる過程で押板１１が操作部２に突き当たる。そのため、カバー６が更に押されると、操作部２はクッション用ばね１０を介して押板１１により押動され、結果として押ボタンスイッチ１の操作が行われる。従って、押ボタンスイッチ１の押圧操作を忘れても、カバー６を閉じれば押ボタンスイッチ１の操作が行われる。その際、操作部２の押動ストロークのバラツキはクッション用ばね１０で吸収され、押ボタンスイッチ１の操作は円滑に行われる。
【００２３】
一方、図１及び図２において、カバー６の左右側壁の一部は前方に突出形成され、この突出部にロックレバー１５の施錠穴１５ｂと同形の施錠穴６ｃが設けられるとともに、この施錠穴６ｃはカバー６が閉状態にロックされた図２の状態において、ロックレバー１５の施錠穴１５ｂと重なるように位置が定められている。そこで、図３に示すように、施錠穴６ｃ,１５ｂに錠前（図示は南京錠）１７を通すことにより、カバー６を閉じた状態で施錠することができる。
【００２４】
以上説明した通り、この発明の誤操作防止カバー４によれば、カバー６を閉じるとロックレバー１５がベース５の突片５ａに係合し、カバー６が閉状態に自動的にロックされる。従って、ロック忘れがなく、かつロックのためにねじを締めたりばねを掛けたりする手間が不要である。また、押ボタンスイッチ１が操作されていなくても、カバー６を閉じると押ボタンスイッチ１が押板１１で操作されるので、押ボタンスイッチ１の操作を忘れたままでカバー６を閉じる危険がない。
【００２５】
さらに、カバー６を閉じた状態で施錠できるので、第三者により押ボタンスイッチ１が不測にリセットされる心配がない。更に、クッション用ばね１０及び押板１１は押動アタッチメント１４として一体的に着脱できるので、クッション用ばね１０及び押板１１の寸法の異なる何種類かの押動アタッチメント１４を用意しておけば、押動アタッチメント１４のみの交換で高さの異なる押ボタンスイッチ１に対応することができる。
【図面の簡単な説明】
【００２６】
【図１】この発明の実施の形態を示す誤操作防止カバーのカバーを開いた状態の斜視図である。
【図２】図１の誤操作防止カバーのカバーを閉じた状態を示す側面図である。
【図３】図１の誤操作防止カバーのカバーを閉じ、施錠した状態を示す斜視図である。
【図４】図１におけるロックレバーの拡大側面図である。
【図５】図１における押動アタッチメントの斜視図である。
【符号の説明】
【００２７】
１    非常停止用押ボタンスイッチ
２    操作部
３    スイッチ本体
４    誤操作防止カバー
５    ベース
５ａ  突片
６    カバー
６ｃ  施錠穴
７    ヒンジ
１０    クッション用ばね
１１    押板
１３    取付板
１４    押動アタッチメント
１７    ロックレバー
１５ａ  フック
１９    南京錠
【図１】
2009187837.tif 000003
【図２】
2009187837.tif 000004
【図３】
2009187837.tif 000005
【図４】
2009187837.tif 000006
【図５】
2009187837.tif 000007